(57)【特許請求の範囲】
【請求項１】
車載機器とアプリケーションを備えた携帯端末とが通信可能に接続されてなる車載機器システムであって、
前記車載機器は、前記携帯端末との接続中に該携帯端末にて動作されたアプリケーションを特定する識別情報を記憶する記憶手段と、
少なくとも１つのアプリケーションが動作する前記携帯端末が接続されたときに、その動作する少なくとも１つのアプリケーションの識別情報と前記記憶手段に記憶された識別情報とに基づいて、前記携帯端末にて動作する少なくとも１つのアプリケーション及び前記記憶手段に記憶された識別情報にて特定されるアプリケーションのいずれかを当該携帯端末にて動作させるべきアプリケーションとして選択させる第１ユーザインタフェース手段と、
前記第１ユーザインタフェース手段によって前記記憶手段に記憶された識別情報にて特定されるアプリケーションが前記携帯端末にて動作させるべきアプリケーションとして選択されたときに、その選択されたアプリケーションの動作要求を前記携帯端末に送るアプリ動作要求手段とを有し、
前記携帯端末は、前記動作要求を受けたときに、該動作要求に係るアプリケーションを動作させるアプリ動作制御手段を有し、
前記車載機器は、更に、前記携帯端末でのアプリケーションの動作により得られる情報を取得して処理する処理手段を有する車載機器システム。
【請求項２】
車載機器は、表示部を有し、
前記処理手段は、前記アプリケーションの動作により得られる情報を前記表示部に表示させる表示制御手段を有する請求項１記載の車載機器システム。
【請求項３】
前記車載機器は、前記第１ユーザインタフェースにより前記携帯端末にて動作する２以上のアプリケーションが当該携帯端末にて動作させるべきアプリケーションとして選択されたときに、前記２以上のアプリケーションの動作にて得られる情報を前記処理手段にて処理させるべきか否かを選択させる第２ユーザインタフェース手段を有し、
前記第２ユーザインタフェース手段により前記２以上のアプリケーションの動作にて得られる情報を前記処理手段に処理させるべきであるとの選択がなされたときに、前記処理手段は、前記２以上のアプリケーションの動作により得られる情報を取得して各アプリケーションに対応させて並列的に処理する請求項１記載の車載機器システム。
【請求項４】
前記第２ユーザインタフェース手段により前記２以上のアプリケーションの動作にて得られる情報を前記処理手段にて処理させるべきでないとの選択がなされたときに、前記２以上のアプリケーションのいずれの動作にて得られる情報を処理すべきであるかを選択させる第３ユーザインタフェース手段を有し、
前記処理手段は、前記第３ユーザインタフェースにより選択されたアプリケーションの動作により得られる情報を取得して処理する請求項３記載の車載機器システム。
【請求項５】
前記車載機器は、表示部を有し、
前記処理手段は、前記２以上のアプリケーションの動作により得られる情報を前記表示部に並列的に表示させる表示制御手段を有する請求項３または４記載の車載機器システム。
【請求項６】
前記携帯端末におけるアプリ動作制御手段は、動作しているアプリケーションに代えて前記動作要求に係るアプリケーションを動作させる請求項１乃至５のいずれかに記載の車載機器システム。
【請求項７】
アプリケーションを備えた携帯端末と通信可能に接続される車載機器であって、
前記携帯端末との接続中に該携帯端末にて動作されたアプリケーションを特定する識別情報を記憶する記憶手段と、
少なくとも１つのアプリケーションが動作する前記携帯端末が接続されたときに、その動作する少なくとも１つのアプリケーションの識別情報と前記記憶手段に記憶された識別情報とに基づいて、前記携帯端末にて動作する少なくとも１つのアプリケーション及び前記記憶手段に記憶された識別情報にて特定されるアプリケーションのいずれかを当該携帯端末にて動作させるべきアプリケーションとして選択させる第１ユーザインタフェース手段と、
前記第１ユーザインタフェース手段によって前記記憶手段に記憶された識別情報にて特定されるアプリケーションが前記携帯端末にて動作させるべきアプリケーションとして選択されたときに、その選択されたアプリケーションの動作要求を前記携帯端末に送るアプリ動作要求手段と、前記携帯端末でのアプリケーションの動作により得られる情報を取得して処理する処理手段を有する車載機器。
【発明の詳細な説明】
【技術分野】
【０００１】
本発明は、ＡＶ・ナビゲーション機器等の車載機器とスマートフォン等の携帯端末とが接続された構成となる車載機器システムと、その車載機器システムを構成する当該車載機器及び携帯端末に関する。
【背景技術】
【０００２】
従来、特許文献１記載のナビゲーションシステムが提案されている（特許文献１参照）。このようなナビゲーションシステムでは、オーディオ再生の機能を兼ね備える携帯端末（ＰＮＤ：Personal Navigation Device）が車載機器に接続された際に、経路誘導の動作とオーディオ再生の動作を適切に切換えたり、引き継ぐことができるようになっている。例えば、このようなナビゲーションシステムでは、携帯端末を車載オーディオ機器から取り外す直前に行われている車載オーディオ機器と携帯端末とによる協働した処理における動作モード（協働ラストモード）と、携帯端末が車載オーディオ機器から取り外された後、再度車載オーディオ機器に取り付けられる直前に携帯端末の単独の処理における動作モード（単独ラストモード）とが同一であるか否かの確認がなされる。これによって、協働ラストモードと単独ラストモードとが同一である場合（協働ラストモード及び単独ラストモードによる処理がナビゲーション動作処理のとき等）に、車載オーディオ機器は、携帯端末における単独ラストモードでの処理データ（地図情報及び車両位置情報等）を取得し、車載オーディオ機器と携帯端末とによって該携帯端末によって単独で行われていた経路誘導の動作を引き継ぐことができるようになっている。
【先行技術文献】
【特許文献】
【０００３】
【特許文献１】特開２００８−２９８４７６公報
【発明の概要】
【発明が解決しようとする課題】
【０００４】
ところで、特許文献１記載のナビゲーションシステムでは、車載オーディオシステムと携帯端末とによる協働した処理における動作モード（協働ラストモード）と携帯端末単独の処理における動作モード（単独ラストモード）とが異なる場合においても、車載オーディオ機器は、携帯端末においてなされていた処理のデータを取得することなく、前回携帯端末と車載オーディオ機器とが接続されていたときになされていた処理における動作モード（協働ラストモード）での処理データを用いた処理を行うようになっている。例えば、携帯端末がスマートフォンである場合、該携帯端末（スマートフォン）を車載オーディオ機器（車載機器）に接続する際に、該携帯端末にて動作されるアプリケーションにかかわらず、前回車載機器にて行った処理に係るアプリケーションが自動的に選択及び動作されるので、ユーザが携帯端末において動作すべきアプリケーションを選択する手間を省くことが可能となる。
【０００５】
しかしながら、特許文献１記載のナビゲーションシステム（車載機器システム）では、アプリケーションが動作中の携帯端末を車載機器に接続したときに、現在携帯端末にて動作しているアプリケーションと、前回車載機器と携帯端末とが接続されていたときに動作しているアプリケーションとが異なる場合でも、前回車載機器と接続されていたときに携帯端末において動作したアプリケーションを自動的に選択及び実行されてしまうので、ユーザが要望するアプリケーションを携帯端末において実行することができない。
【０００６】
本発明は、このような事情に鑑みてなされたもので、アプリケーションが動作する携帯端末を車載機器に接続したときに、ユーザの要望に沿ったアプリケーションを実行することが可能な車載機器システムを提供するものである。
【課題を解決するための手段】
【０００７】
本発明に係る車載機器システムは、車載機器とアプリケーションを備えた携帯端末とが通信可能に接続されてなる車載機器システムであって、前記車載機器は、前記携帯端末との接続中に該携帯端末にて動作されたアプリケーションを特定する識別情報を記憶する記憶手段と、少なくとも１つのアプリケーションが動作する前記携帯端末が接続されたときに、その動作する少なくとも１つのアプリケーションの識別情報と前記記憶手段に記憶された識別情報とに基づいて、前記携帯端末にて動作する少なくとも１つのアプリケーション及び前記記憶手段に記憶された識別情報にて特定されるアプリケーションのいずれかを当該携帯端末にて動作させるべきアプリケーションとして選択させる第１ユーザインタフェース手段と、前記第１ユーザインタフェース手段によって前記記憶手段に記憶された識別情報にて特定されるアプリケーションが前記携帯端末にて動作させるべきアプリケーションとして選択されたときに、その選択されたアプリケーションの動作要求を前記携帯端末に送るアプリ動作要求手段とを有し、前記携帯端末は、前記動作要求を受けたときに、該動作要求に係るアプリケーションを動作させるアプリ動作制御手段を有し、前記車載機器は、更に、前記携帯端末でのアプリケーションの動作により得られる情報を取得して処理する処理手段を有する構成となる。
【０００８】
このような構成によれば、少なくとも１つのアプリケーションが動作中の携帯端末が車載機器に接続されると、その動作中のアプリケーションを特定する識別情報と記憶手段によって記憶された前回接続されたときに携帯端末にて動作されたアプリケーションの識別情報とに基づいて携帯端末にて動作させるべきアプリケーションを第１ユーザインタフェース手段によってユーザに選択させ、第１ユーザインタフェース手段によって記憶手段に記憶された識別情報にて特定されるアプリケーションが携帯端末にて動作させるべきアプリケーションとして選択されたときに、選択されたアプリケーションの動作要求を携帯端末に送り、該動作要求に応じたアプリケーションを携帯端末にて動作させ、該アプリケーションの動作により得られる情報を取得して処理するので、少なくとも１つのアプリケーションが動作する携帯端末を車載機器に接続したユーザは、携帯端末にて動作しているアプリケーション以外のアプリケーションを選択したときにでも、比較的容易な操作で携帯端末においてユーザの要望に沿ったアプリケーションを動作させることが可能となる。さらに、携帯端末のアプリケーションの動作により得られる情報を取得して処理するので、車載機器においても携帯端末におけるアプリケーションの動作に係る処理を行うことができるようになる。
【０００９】
本発明に係る車載機器システムにおいて、車載機器は、表示部を有し、前記処理手段は、前記アプリケーションの動作により得られる情報を前記表示部に表示させる表示制御手段を有する構成とすることができる。
【００１０】
このような構成によれば、携帯端末のアプリケーションの動作により得られる情報が車載機器の表示部に表示されるので、ユーザは車載機器の表示画面において携帯端末のアプリケーションによる処理を視認及び操作することが可能となる。
【００１１】
本発明に係る車載機器システムにおいて、前記車載機器は、前記第１ユーザインタフェースにより前記携帯端末にて動作する２以上のアプリケーションが当該携帯端末にて動作させるべきアプリケーションとして選択されたときに、前記２以上のアプリケーションの動作にて得られる情報を前記処理手段にて処理させるべきか否かを選択させる第２ユーザインタフェース手段を有し、前記第２ユーザインタフェース手段により前記２以上のアプリケーションの動作にて得られる情報を前記処理手段に処理させるべきであるとの選択がなされたときに、前記処理手段は、前記２以上のアプリケーションの動作により得られる情報を取得して各アプリケーションに対応させて並列的に処理する構成とすることができる。
【００１２】
このような構成によれば、２つ以上のアプリケーションが動作中である携帯端末が車載機器に接続され、ユーザインタフェース手段によって該携帯端末にて動作する２以上のアプリケーションが当該携帯端末にて動作されるべきアプリケーションとして選択されたときに、２以上のアプリケーションの動作にて得られる情報を処理手段にて処理させるべきか否かの選択をユーザにさせ、２以上のアプリケーションの動作にて得られる情報を処理手段に処理させるべきであるとの選択がなされたときに、処理手段が２以上のアプリケーションの動作により得られる情報を取得して各アプリケーションに対応させて並列的に処理するので、２つ以上のアプリケーションが動作されている携帯端末が車載機器に接続された場合においても、比較的容易な操作で携帯端末においてユーザの要望に沿ったアプリケーションを動作させることが可能となる。
【００１３】
本発明に係る車載機器システムは、前記第２ユーザインタフェース手段により前記２以上のアプリケーションの動作にて得られる情報を前記処理手段にて処理させるべきでないとの選択がなされたときに、前記２以上のアプリケーションのいずれの動作にて得られる情報を処理すべきであるかを選択させる第３ユーザインタフェース手段を有し、前記処理手段は、前記第３ユーザインタフェースにより選択されたアプリケーションの動作により得られる情報を取得して処理する構成とすることができる。
【００１４】
このような構成によれば、第２インターフェイス手段により２以上のアプリケーションの動作にて得られる情報を処理手段にて処理すべきではないとの選択がなされたときに、該２以上のアプリケーションのいずれの動作にて得られる情報を処理すべきであるかを第３インターフェイス手段によって選択させ、ユーザに選択されたアプリケーションの動作により得られる情報を取得して処理するので、よりユーザの要望に沿ったアプリケーションを動作させることが可能となる。
【００１５】
本発明に係る車載機器システムにおいて、前記車載機器は、表示部を有し、前記処理手段は、前記２以上のアプリケーションの動作により得られる情報を前記表示部に並列的に表示させる表示制御手段を有する構成とすることができる。
【００１６】
このような構成によれば、携帯端末にて動作する２以上のアプリケーションの動作により得られる情報が車載機器の表示部に並列的に表示されるので、ユーザは車載機器の表示画面において携帯端末にて動作する２以上のアプリケーションによる処理を視認及び操作することが可能となる。
【００１７】
本発明に係る車載機器システムにおいて、前記携帯端末におけるアプリ動作制御手段は、動作しているアプリケーションに代えて前記動作要求に係るアプリケーションを動作させる構成とすることができる。
【００１８】
このような構成によれば、車載機器からの動作要求に係るアプリケーションを現在携帯端末にて動作中のアプリケーションに代えて動作させるので、よりユーザの要望に沿ったアプリケーションを動作させることが可能となる。
【００１９】
本発明に係る車載機器は、アプリケーションを備えた携帯端末と通信可能に接続される車載機器であって、前記携帯端末との接続中に該携帯端末にて動作されたアプリケーションを特定する識別情報を記憶する記憶手段と、少なくとも１つのアプリケーションが動作する前記携帯端末が接続されたときに、その動作する少なくとも１つのアプリケーションの識別情報と前記記憶手段に記憶された識別情報とに基づいて、前記携帯端末にて動作する少なくとも１つのアプリケーション及び前記記憶手段に記憶された識別情報にて特定されるアプリケーションのいずれかを当該携帯端末にて動作させるべきアプリケーションとして選択させる第１ユーザインタフェース手段と、前記第１ユーザインタフェース手段によって前記記憶手段に記憶された識別情報にて特定されるアプリケーションが前記携帯端末にて動作させるべきアプリケーションとして選択されたときに、その選択されたアプリケーションの動作要求を前記携帯端末に送るアプリ動作要求手段と、前記携帯端末でのアプリケーションの動作により得られる情報を取得して処理する処理手段を有する構成となる。
【００２０】
このような構成によれば、少なくとも１つのアプリケーションが動作中の携帯端末との接続中に、その動作中のアプリケーションを特定する識別情報と記憶手段によって記憶された前回接続されたときに携帯端末にて動作されたアプリケーションの識別情報とに基づいて携帯端末にて動作させるべきアプリケーションを第１ユーザインタフェース手段によってユーザに選択させ、第１ユーザインタフェース手段によって記憶手段に記憶された識別情報にて特定されるアプリケーションが携帯端末にて動作させるべきアプリケーションとして選択されたときに、選択されたアプリケーションの動作要求を携帯端末に送り、該動作要求に応じたアプリケーションを携帯端末にて動作させ、該アプリケーションの動作により得られる情報を取得して処理するので、少なくとも１つのアプリケーションが動作する携帯端末を車載機器に接続したユーザは、携帯端末にて動作しているアプリケーション以外のアプリケーションを選択したときにでも、比較的容易な操作で携帯端末においてユーザの要望に沿ったアプリケーションを動作させることが可能となる。さらに、携帯端末のアプリケーションの動作により得られる情報を取得して処理するので、携帯端末におけるアプリケーションの動作に係る処理を行うことができるようになる。
【発明の効果】
【００２５】
本発明に係る車載機器システムによれば、少なくとも１つのアプリケーションが動作中の携帯端末が車載機器に接続されると、その動作中のアプリケーションを特定する識別情報と記憶手段によって記憶された前回接続されたときに携帯端末にて動作されたアプリケーションの識別情報とに基づいて携帯端末にて動作させるべきアプリケーションを第１ユーザインタフェース手段によってユーザに選択させ、第１ユーザインタフェース手段によって記憶手段に記憶された識別情報にて特定されるアプリケーションが携帯端末にて動作させるべきアプリケーションとして選択されたときに、選択されたアプリケーションの動作要求を携帯端末に送り、該動作要求に応じたアプリケーションを携帯端末にて動作させ、該アプリケーションの動作により得られる情報を取得して処理するので、少なくとも１つのアプリケーションが動作する携帯端末を車載機器に接続したユーザは、携帯端末にて動作しているアプリケーション以外のアプリケーションを選択したときにでも、比較的容易な操作で携帯端末においてユーザの要望に沿ったアプリケーションを動作させるので、アプリケーションが動作する携帯端末を車載機器に接続したときに、ユーザの要望に沿ったアプリケーションを実行することが可能となる。
【００２６】
また、本発明に係る車載機器及び携帯端末によれば、前述した車載機器システムを構成することが可能となる。
【図面の簡単な説明】
【００２７】
【図１】本発明の実施の形態に係る車載機器システムを構成する車載機器及び携帯端末（スマートフォン）を示すブロック図である。
【図２】本発明の第１の実施の形態に係る車載機器システムを構成する車載機器の処理ユニットによる処理手順を示すフローチャートである。
【図３】図１に示す車載機器システムを構成するスマートフォン（携帯端末）のホーム画面の一例を示す図である。
【図４】図１に示すスマートフォンにて音楽再生アプリケーションが動作している例を示す図である。
【図５】図1に示す車載機器の表示部にユーザインタフェース画面が表示された一例を示す図である。
【図６】図1に示す車載機器と接続されたスマートフォンにて動作している音楽再生アプリケーションに係る画像が車載機器の表示部に表示された一例を示す図である。
【図７】図１に示す車載機器とスマートフォンとが接続され、スマートフォンにて動作しているナビゲーションアプリケーションに係る画像が車載機器の表示部に表示された一例を示す図である。
【図８Ａ】本発明に第２の実施の形態に係る車載機器システムを構成する車載機器の処理ユニットによる処理手順を示すフローチャートである。
【図８Ｂ】本発明に第２の実施の形態に係る車載機器システムを構成する車載機器の処理ユニットによる処理手順を示すフローチャートである。
【図９】図1に示すスマートフォンと車載機器とが接続されているときの各表示部の一例を示す図（その１）である。
【図１０】図1に示すスマートフォンと車載機器とが接続されているときの各表示部の一例を示す図（その２）である。
【図１１】図1に示すスマートフォンと車載機器とが接続されているときの各表示部の一例を示す図（その３）である。
【図１２】図1に示すスマートフォンと車載機器とが接続されているときの各表示部の一例を示す図（その４）である。
【図１３】図1に示すスマートフォンと車載機器とが接続されているときの各表示部の一例を示す図（その５）である。
【図１４】図1に示すスマートフォンと車載機器とが接続されているときの各表示部の一例を示す図（その６）である。
【図１５】図1に示すスマートフォンと車載機器とが接続されているときの各表示部の一例を示す図（その７）である。
【発明を実施するための形態】
【００２８】
以下、本発明の実施の形態について図面を用いて説明する。
【００２９】
本発明の実施の形態に係る車載機器システム及び該車載機器システムを構成する車載機器１００及びスマートフォン２０（携帯端末）は、図１に示すように構成される。
【００３０】
図１において、車載機器１００は、外部機器接続用のコネクタ１９を有しており、該コネクタ１９を介してスマートフォン２０（携帯端末）が接続できるようになっている。さらに、車載機器１００は、コンピューターユニット（例えば、ＣＰＵ）によって構成される処理ユニット１１を有している。処理ユニット１１には、各種音源及び映像源（例えば、ＣＤ及びＤＶＤ）の再生処理が可能なＡＶユニット１７及び自車両のナビゲーションが可能なナビゲーションユニット１８が接続されている。また、処理ユニット１１には、スピーカ１６と接続される出力回路１５が接続されている。これによって、ＡＶユニット１７及びナビゲーションユニット１８による処理に係る音声信号を出力回路１５を介してスピーカ１６から出力することが可能となっている。加えて、処理ユニット１１には、ＡＶユニット１７及びナビゲーションユニット１８において利用する楽曲情報及び地図情報等の各種情報を記憶可能な記憶部１４（記憶手段：例えば、ハードディスク）と、ＬＣＤ等によって構成される各種処理に伴う映像等を表示する表示部１３（表示手段）と、表示部１３上にタッチパネル形式にて形成される各種処理に必要な指示が入力可能な操作部１２とが接続されている。
【００３１】
また、車載機器１００は、コネクタ１９によってスマートフォン２０（携帯端末）と接続されており、例えば、スマートフォン２０と接続されるコネクタ１９を介して通信が可能となっている。スマートフォン２０には、ナビゲーションアプリケーションの他、検索アプリケーション、音楽再生アプリケーション等の多くのアプリケーションが備えられている。
【００３２】
前述したようなアプリケーションを備えるスマートフォン２０と車載機器１００とが接続された車載機器システムでは、図２に示すような手順にて処理がなされる。例えば、車載機器１００の処理ユニット１１は、図２に示す手順にてスマートフォン２０のアプリケーションを動作させる。まず第１の実施の形態に係る車載機器システムについて説明する。
【００３３】
図２において、車載機器１００の処理ユニット１１は、コネクタ１９を介してスマートフォン２０が接続されたか否かを確認する（Ｓ１１）。そしてスマートフォン２０の接続が確認されると、処理ユニット１１はスマートフォン２０にてアプリケーションが動作されているか否かを判定する（Ｓ１２）。例えば、処理ユニット１１によってスマートフォン２０においていずれのアプリケーションも動作されていないと判定された（Ｓ１２でＮＯ）とき、スマートフォン２０の表示画面には、図３に示すようなホーム画面が表示されている。このホーム画面が表示されているときに、例えば、ユーザが音楽再生アプリＡＡＡを選択すると、スマートフォン２０の表示画面は図４に示すようになる。このようにスマートフォン２０において、アプリケーション（例えば、音楽再生アプリＡＡＡ）が動作されていると判定された（Ｓ１２でＹＥＳ）ときに、処理ユニット１１は、動作中のアプリケーションの情報を取得する（Ｓ１３）。このとき処理ユニット１１によって取得される情報は、少なくともアプリケーションを特定する識別情報（例えば、アプリケーションの名称等）を含んでいる。
【００３４】
このようにしてスマートフォン２０にて動作中のアプリケーションの識別情報を取得すると、処理ユニット１１は、前回スマートフォン２０と車載機器１００とが接続されていたときに、該スマートフォン２０にて動作されたアプリケーションの識別情報が記憶されている記憶部１４（記憶手段）から該識別情報（例えば、アプリケーション名）を抽出する。そして、前述したステップＳ１３にて取得した現在スマートフォン２０にて動作中のアプリケーションを特定する識別情報と記憶部１４から抽出した識別情報とを表示部１３に表示させる（Ｓ１４）。具体的には、処理ユニット１１は、図５に示すように、前回接続時に動作されたアプリケーションと現在動作しているアプリケーションのいずれかのアプリケーションをスマートフォン２０にて動作させるべきアプリケーションとして選択させるためのユーザインタフェース画面を表示部１３に表示させる（第１ユーザインタフェース手段）。
【００３５】
これによってユーザが、ユーザインタフェース画面上に示されたタッチパネル形式の操作部１２の操作によって、現在動作中のアプリケーション（音楽再生アプリＡＡＡ）を選択しないで（Ｓ１５でＮＯ）、前回スマートフォン２０と車載機器１００とが接続されたときに動作されたアプリケーション（例えば、ＮａｖｉアプリＡ）を選択する（Ｓ１６でＹＥＳ）と、処理ユニット１１は、選択されたアプリケーション（ＮａｖｉアプリＡ）の動作要求をスマートフォン２０に送る（Ｓ１７：アプリ動作要求手段）。一方、スマートフォン２０は、ステップＳ１７によって送信された動作要求を受けると、動作中であったアプリケーションに代えて、該動作要求に係るアプリケーション（ＮａｖｉアプリＡ）を動作（起動）させる（アプリ動作制御手段）。フローチャートに戻って、車載機器１００の処理ユニット１１は、ステップＳ１７において送信された動作要求に係るアプリケーションの動作を確認し（Ｓ１８）、次のステップへと移行する。
【００３６】
そして、処理ユニット１１は、スマートフォン２０にて動作しているアプリケーションとの協働処理を開始する（Ｓ１９：処理手段）。具体的には、処理ユニット１１は、図６に示すように、現在スマートフォン２０にて動作しているアプリケーション（音楽再生アプリＡＡＡ）の動作により得られた情報（例えば、画像及び音声信号等）を取得し、車載機器１００において処理する。これによって、スマートフォン２０と接続された車載機器１００において、音楽再生アプリＡＡＡの動作による画像を表示部１３に表示し（表示制御手段）、取得した音声信号を出力回路１５を介してスピーカ１６から音声出力する。
【００３７】
一方、ユーザが、ユーザインタフェース画面上に示されたタッチパネル形式の操作部１２の操作によって、現在動作中のアプリケーションが選択された（Ｓ１５でＹＥＳ）ときに、処理ユニット１１は、前述したようにスマートフォン２０にて動作しているアプリケーションとの協働処理を開始する（Ｓ１９）。具体的には、処理ユニット１１は、図７に示すように、現在スマートフォン２０にて動作しているアプリケーション（ＮａｖｉアプリＡ）の動作により得られた情報（例えば、地図情報及び位置情報等）を取得し、車載機器１００において処理する。これによって、スマートフォン２０と接続された車載機器１００において、ＮａｖｉアプリＡの動作による地図情報及び位置情報からなる画像を表示部１３により表示し、経路案内を行う。
【００３８】
そして処理ユニット１１は、スマートフォン２０にて動作しているアプリケーションとの協働処理が終了するのを監視し（Ｓ２０）、協働処理が終了したと判定する（Ｓ２０でＹＥＳ）と、記憶部１４に前回接続時に動作していたアプリケーションとして、該アプリケーションの情報を格納する（Ｓ２１）。このようにして、車載機器１００によるスマートフォン２０との協働処理がなされる。
【００３９】
前述したような車載機器システムでは、アプリケーション（例えば、音楽再生アプリＡＡＡ）が動作中であるスマートフォン２０が車載機器１００に接続されると、前回接続時に動作されたアプリケーションと現在動作しているアプリケーションのいずれかのアプリケーションをスマートフォン２０にて動作させるべきアプリケーションとして選択させるためのユーザインタフェース画面を表示部１３に表示させることによって、ユーザにスマートフォン２０にて動作させるべきアプリケーションを選択させるので、アプリケーションが動作中のスマートフォン２０を車載機器１００に接続したときに、動作中のアプリケーションを無視することなく、ユーザの要望に沿ったアプリケーションをスマートフォン２０において実行することが可能となる。このようにして、ユーザの要望に沿ったアプリケーションをスマートフォン２０において実行することができるので、車載機器１００においても、実行されたアプリケーションの動作により得られた情報（例えば、画像及び音声信号等）を取得し、協働処理（例えば、表示部１３への画像表示及びスピーカ１６からの音声出力処理）をすることが可能となる。
【００４０】
なお、前述した車載機器システムにおいて、ステップＳ１９において、スマートフォン２０にて動作されるアプリケーションの動作により得られた情報を取得し、車載機器１００において協働処理を行うこととしたが、もちろん、車載機器１００からの動作要求によって動作されたアプリケーションの情報をスマートフォン２０においてのみ利用することとしてもよい。
【００４１】
次に、第２の実施の形態に係る車載機器システムについて説明する。この車載機器システムは、スマートフォン２０において動作されるアプリケーションが２つ以上であるときにも、対応可能な車載機器システムである。このような車載機器システムでは、図８Ａ及び図８Ｂに示すような手順にて処理がなされる。
【００４２】
図８Ａ及び図８Ｂにおいて、車載機器１００の処理ユニット１１は、コネクタ１９を介してスマートフォン２０が接続されたか否かを確認する（Ｓ３１）。そしてスマートフォン２０の接続が確認されると、処理ユニット３１はスマートフォン２０にてアプリケーションが動作されているか否かを判定する（Ｓ３２）。例えば、スマートフォン２０においてメインアプリケーションとして音楽再生アプリＡＡＡが動作され、そのバックグラウンドにてＮａｖｉアプリＢ（サブアプリケーション）が動作している際に、複数のアプリケーション（例えば、音楽再生アプリＡＡＡ及びＮａｖｉアプリＢ）が動作されていると判定された（Ｓ３２でＹＥＳ）ときに、処理ユニット１１は、動作中のアプリケーションの情報を取得する（Ｓ３３）。このとき処理ユニット１１によって取得される情報は、少なくともアプリケーションを特定する識別情報（アプリケーションの名称）を含んでいる。
【００４３】
このようにしてスマートフォン２０にて動作中のアプリケーションの識別情報を取得すると、処理ユニット１１は、前回スマートフォン２０と車載機器１００とが接続されていたときに、該スマートフォン２０にて動作されたアプリケーションの識別情報が記憶されている記憶部１４（記憶手段）から該識別情報を抽出する。そして、前述したステップＳ３３にて取得した現在スマートフォン２０にて動作中のアプリケーションを特定する識別情報と記憶部１４から抽出した識別情報とを表示部１３に表示させる（Ｓ３４）。具体的には、処理ユニット１１は、図９に示すように、前回接続時に動作されたアプリケーション（ＮａｖｉアプリＡ）と現在動作しているアプリケーション（メインアプリ：音楽再生アプリＡＡＡ及びサブアプリ：ＮａｖｉアプリＢ）のいずれかのアプリケーションをスマートフォン２０にて動作させるべきアプリケーションとして選択させるためのユーザインタフェース画面を表示部１３に表示させる（第１ユーザインタフェース手段）。
【００４４】
これによってユーザが、ユーザインタフェース画面上に示されたタッチパネル形式の操作部１２の操作によって、現在動作中のアプリケーションを選択しないで（Ｓ３５でＮＯ）、前回スマートフォン２０と車載機器１００とが接続されたときに動作されたアプリケーション（例えば、ＮａｖｉアプリＡ）を選択する（Ｓ３６でＹＥＳ）と、処理ユニット１１は、選択されたアプリケーション（ＮａｖｉアプリＡ）の動作要求をスマートフォン２０に送る（Ｓ３７：アプリ動作要求手段）。一方、スマートフォン２０は、ステップＳ３７によって送信された動作要求を受けると、該動作要求に係るアプリケーション（ＮａｖｉアプリＡ）を動作させる（アプリ動作制御手段）。フローチャートに戻って、車載機器１００の処理ユニット１１は、ステップＳ３７において送信された動作要求に係るアプリケーションの動作を確認し（Ｓ３８）、次のステップへと移行する。
【００４５】
そして、処理ユニット１１は、スマートフォン２０にて動作しているアプリケーションとの協働処理を開始する（Ｓ３９：処理手段）。具体的には、処理ユニット１１は、図１０に示すように、現在スマートフォン２０にて動作しているアプリケーション（ＮａｖｉアプリＡ）の動作により得られた情報（例えば、地図情報及び位置情報等）を取得し、車載機器１００において処理する。これによって、スマートフォン２０と接続された車載機器１００において、ＮａｖｉアプリＡの動作による地図情報及び位置情報からなる画像を表示部１３に表示し（表示制御手段）、経路案内を行う。
【００４６】
このとき、スマートフォン２０では、該スマートフォン２０にて動作中のアプリケーションであったメインアプリケーションである音楽再生アプリＡＡＡを動作要求に応じて起動したＮａｖｉアプリＡのバックグラウンドにて動作するようになっている。また、このようにスマートフォン２０にて動作中のアプリケーションであったメインアプリケーションをバックグラウンドにて動作するようにしたが、もちろんサブアプリケーションであったＮａｖｉアプリＢをそのままバックグラウンドにて動作するようにしてもよいし、動作要求を車載機器１００から受けたときに、動作要求があったアプリケーション以外のアプリケーション（音楽再生アプリＡＡＡ及びＮａｖｉアプリＢ）を終了させるようにしてもよい。
【００４７】
一方、ユーザが、ユーザインタフェース画面上に示されたタッチパネル形式の操作部１２の操作によって、現在動作中の複数（２つ以上）のアプリケーションが選択された（Ｓ３５でＹＥＳ）ときに、処理ユニット１１は、表示部１３に複数のアプリケーションに係る画像を表示させるか否かを選択させるためのユーザインタフェース画面を表示させる（Ｓ４２：第２ユーザインタフェース手段）。より具体的には、処理ユニット１１は、図１１に示すように、現在スマートフォン２０にて動作している複数のアプリケーション（音楽再生アプリＡＡＡ及びＮａｖｉアプリＡ）それぞれの動作により得られた情報（画像）を２画面表示するか否かをユーザに選択させるための画面を表示部１３に表示させる。
【００４８】
これによって、ユーザが図１１に示す表示ユーザインタフェース画面上に形成されたタッチパネル形式の操作部１２の操作によって、２画面表示を許可する選択をした（Ｓ４２でＹＥＳ）ときに、処理ユニット１１は、スマートフォン２０にて動作中の複数のアプリケーションとの協働処理を開始する（Ｓ４３）。具体的には、処理ユニット１１は、図１２に示すように、現在スマートフォンにて動作中のメインアプリケーションである音楽再生アプリＡＡＡ及びサブアプリケーションであるＮａｖｉアプリＢそれぞれの動作により得られた情報（音声信号、地図情報、及び位置情報等）を取得し、車載機器１００にて処理する。これによって、スマートフォン２０と接続された車載機器１００において、ＮａｖｉアプリＢ及び音楽再生アプリＡＡＡのそれぞれの動作による情報から得られた画像を表示部１３に併せて表示させ、ルート案内及び音声出力を行う。
【００４９】
そして処理ユニット１１は、スマートフォン２０にて動作している複数のアプリケーションとの協働処理が終了するのを監視し（Ｓ４４）、協働処理が終了したと判定する（Ｓ４４でＹＥＳ）と、記憶部１４に前回接続時に動作していたアプリケーションとして、メインアプリケーション（音楽再生アプリＡＡＡ）の情報を格納する（Ｓ４８）。
【００５０】
一方、ステップＳ４２において、ユーザが図１１に示す表示ユーザインタフェース画面上に形成されたタッチパネル形式の操作部１２の操作によって、２画面表示を拒否する選択をした（Ｓ４２でＮＯ）ときに、処理ユニット１１は、現在スマートフォン２０にて動作中のメインアプリケーション、もしくはサブアプリケーションのいずれのアプリケーションの動作により得られる情報（画像）を表示部１３に表示させるのかをユーザに選択させるためのユーザインタフェース画面を表示部１３に表示させる（Ｓ４５：第３ユーザインタフェース手段）。具体的には、処理ユニット１１は、図１３に示すように、現在スマートフォン２０にてメインアプリケーションとして動作中の音楽再生アプリＡＡＡとそのバックグラウンドにて（サブアプリケーションとして）動作中のＮａｖｉアプリＢとのいずれのアプリケーションをスマートフォン２０にて動作させ続け、その動作により得られる情報を表示部１３に表示すべきアプリケーションとして選択させるためのユーザインタフェース画面を表示部１３に表示させる。
【００５１】
これによって、ユーザが図１３に示す表示ユーザインタフェース画面上に形成されたタッチパネル形式の操作部１２の操作によって、スマートフォン２０にてメインアプリケーションとして動作中の音楽再生アプリＡＡＡが選択されると（Ｓ４５でメインアプリ選択）、処理ユニット１１は、該音楽再生アプリＡＡＡとの協働処理を開始する（Ｓ４６）。具体的には、処理ユニット１１は、図１４に示すように、現在スマートフォンにて動作中のメインアプリケーションである音楽再生アプリＡＡＡの動作により得られた情報（画像及び音声信号等）を取得し、車載機器１００にて処理する。これによって、スマートフォン２０と接続された車載機器１００において、音楽再生アプリＡＡＡの動作による画像を表示部１３に表示し、取得した音声信号を出力回路１５を介してスピーカ１６から音声出力する。
【００５２】
そして処理ユニット１１は、スマートフォン２０にて動作している音楽再生アプリＡＡＡとの協働処理が終了するのを監視し（Ｓ４７）、協働処理が終了したと判定する（Ｓ４７でＹＥＳ）と、記憶部１４に前回接続時に動作していたアプリケーションとして、メインアプリケーション（音楽再生アプリＡＡＡ）の情報を格納する（Ｓ４８）。
【００５３】
一方、ユーザが図１３に示す表示ユーザインタフェース画面上に形成されたタッチパネル形式の操作部１２の操作によって、スマートフォン２０にてサブアプリケーションとして動作中のＮａｖｉアプリＢが選択されると（Ｓ４５でサブアプリ選択）、処理ユニット１１は、該ＮａｖｉアプリＢとの協働処理を開始する（Ｓ４９）。具体的には、処理ユニット１１は、図１５に示すように、現在スマートフォンにて動作中のサブアプリケーションであるＮａｖｉアプリＢの動作により得られた情報（地図情報及び位置情報等）を取得し、車載機器１００にて処理する。これによって、スマートフォン２０と接続された車載機器１００において、ＮａｖｉアプリＢの動作による画像を表示部１３に表示し、経路案内がなされる。
【００５４】
このとき、スマートフォン２０では、該スマートフォン２０にて動作中のアプリケーションであったメインアプリケーションである音楽再生アプリＡＡＡを動作要求に応じて起動したＮａｖｉアプリＢのバックグラウンドにて動作するようになっている。また、このようにスマートフォン２０にて動作中のアプリケーションであったメインアプリケーションをバックグラウンドにて動作するようにしたが、もちろん、動作要求があった（選択された）アプリケーション以外のアプリケーション（音楽再生アプリＡＡＡ）を終了させるようにしてもよい。
【００５５】
フローチャートに戻って、処理ユニット１１は、スマートフォン２０にて動作しているＮａｖｉアプリＢとの協働処理が終了するのを監視し（Ｓ５０）、協働処理が終了したと判定する（Ｓ５０でＹＥＳ）と、記憶部１４に前回接続時に動作していたアプリケーションとして、サブアプリケーション（ＮａｖｉアプリＢ）の情報を格納する（Ｓ５１）。
【００５６】
なお、ステップＳ４８において、メインアプリとして利用されたアプリケーションのみを記憶部１４に格納するようにしたが、メインアプリ及びサブアプリとして利用された複数のアプリケーションを前回接続時に動作されたアプリケーションとして登録するようにしてもよい。
【００５７】
前述したように本発明の第２の実施の形態に係る車載機器システムでは、複数のアプリケーション（例えば、ＮａｖｉアプリＢ及び音楽再生アプリＡＡＡ）が動作中のスマートフォン２０が車載機器１００に接続されると、前回接続時に動作されたアプリケーション（ＮａｖｉアプリＡ）と現在動作している複数のアプリケーション（音楽再生アプリＡＡＡ及びＮａｖｉアプリＢ）のいずれかのアプリケーションをスマートフォン２０にて動作させるべきアプリケーションとして選択させるためのユーザインタフェース画面を表示部１３に表示させ、ユーザにスマートフォン２０にて動作させるべきアプリケーションを選択させるので、アプリケーションが動作中のスマートフォン２０を車載機器１００に接続したときに、動作中のアプリケーションを無視することなく、ユーザの要望に沿ったアプリケーションをスマートフォン２０において実行することが可能となる。
【００５８】
さらに、現在スマートフォン２０においてメインアプリケーションとして動作中のアプリケーション（音楽再生アプリＡＡＡ）、もしくはサブアプリケーションとして動作中のアプリケーション（ＮａｖｉアプリＢ）があるときに、これら複数のアプリケーションの動作により得られた情報を併せて表示させるか否かの選択を表示ユーザインタフェース画面によって、選択させることができるので、よりユーザの要望に沿ったアプリケーションに係る処理を車載機器１００においてすることができる。また、メインアプリケーション（音楽再生アプリＡＡＡ）及びサブアプリケーション（ＮａｖｉアプリＢ）を併せて車載機器１００の表示部１３に表示させないことが選択されると、それらのいずれのアプリケーションを車載機器１００の表示部１３に表示させるべきアプリケーションであるかをユーザに選択させるので、さらにユーザの要望に沿ったアプリケーションをスマートフォン２０及び車載機器１００での協働処理において選択することが可能となる。
【００５９】
なお、スマートフォン２０が有線ではなく、無線にて車載機器１００に接続される構成とすることもできる。
【００６０】
更に、車載機器１００に通信可能に接続される携帯端末は、スマートフォン２０に限られず、情報処理機能を備えた携帯電話、ＰＤＡ（Personal Digital Assistant）、ハンディパソコン等であってもよい。
【産業上の利用可能性】
【００６１】
以上、説明したように、本発明に係る車載機器システムは、アプリケーションが動作中の携帯端末を車載機器に接続したときに、動作中のアプリケーションを無視することなく、ユーザの要望に沿ったアプリケーションを携帯端末において実行することができるという効果を奏し、ＡＶ・ナビゲーション機器等の車載機器とスマートフォン等の携帯端末とが接続された構成となる車載機器システムと、その車載機器システムを構成する当該車載機器及び携帯端末として有用である。
【符号の説明】
【００６２】
１１  処理ユニット
１２  操作部
１３  表示部
１４  記憶部
１５  出力回路
１６  スピーカ
１７  ＡＶユニット
１８  ナビゲーションユニット
１９  コネクタ
２０  スマートフォン
１００  車載機器
【図１】
0005812322.tif 000002
【図２】
0005812322.tif 000003
【図３】
0005812322.tif 000004
【図４】
0005812322.tif 000005
【図５】
0005812322.tif 000006
【図６】
0005812322.tif 000007
【図７】
0005812322.tif 000008
【図８Ａ】
0005812322.tif 000009
【図８Ｂ】
0005812322.tif 000010
【図９】
0005812322.tif 000011
【図１０】
0005812322.tif 000012
【図１１】
0005812322.tif 000013
【図１２】
0005812322.tif 000014
【図１３】
0005812322.tif 000015
【図１４】
0005812322.tif 000016
【図１５】
0005812322.tif 000017